(57)【特許請求の範囲】
【請求項１】
複数の通信方式で他の無線電話装置と送受信を行う無線部と、
前記他の無線電話装置から前記他の無線電話装置が有する前記複数の通信方式の機能の情報を前記他の無線電話装置の識別番号とともに記憶する記憶部と、
前記他の無線電話装置との通信を可能とするため前記他の無線電話装置の識別番号を登録するときに、前記他の無線電話装置から前記他の無線電話装置の識別番号を受信し、前記他の無線電話装置へ前記他の無線電話装置が有する機能の情報を要求し、前記他の無線電話装置から前記他の無線電話装置が有する機能の情報を受信し、前記他の無線電話装置が有する機能の情報を前記記憶部に記憶させ、前記他の無線電話装置を登録するとき以降の他の無線電話装置と通信を開始したときに他の無線電話装置から受信した識別番号が前記記憶部に蓄積された他の無線電話装置の識別番号と一致したときに、前記他の無線電話装置の識別番号に一致する前記他の無線電話装置が有する機能を前記複数の通信方式の中から選択し、通信をする制御を行う制御部と、を備えた無線電話装置。
【請求項２】
前記他の無線電話装置が有する機能の情報は、少なくとも通信速度に関する情報、通信部の送信電力の情報、本無線電話装置のバージョン情報のいずれか一つであることを特徴とする請求項１記載の無線電話装置。
【請求項３】
前記通信速度に関する情報は、エラー検知のみを行うデータフォーマットとエラー検知およびエラー訂正とを行うエラーデータフォーマットを区別する情報であることを特徴とする請求項１記載の無線電話装置。
【発明の詳細な説明】
【０００１】
【発明の属する技術分野】
本発明は、複数のデータフォーマットを送受信して処理する無線電話装置に関するものである。
【０００２】
【従来の技術】
近年、有線部分を無線化する（例えばパソコンとプリンタとの間を無線化する）装置が普及しつつあり、たとえば標準化団体Ｂｌｕｅｔｏｏｔｈ  ＳＩＧ（ｔｈｅ  Ｂｌｕｅｔｏｏｔｈ  Ｓｐｅｃｉａｌ  Ｉｎｔｅｒｅｓｔ  Ｇｒｏｕｐ）で定められたブルートゥース（Ｂｌｕｅｔｏｏｔｈ）という無線通信規格を使用する装置が普及しつつある。
【０００３】
このブルートゥースは、ノートパソコンやＰＤＡ、携帯電話などをケーブルを使わずに接続し、音声やデータをやりとりすることを意図して規格化されたものであり、最近では携帯電話機にオプションとしてブルートゥースの無線機を接続できるようなものも開発されてきている。
【０００４】
図１（ａ）は一般的なコードレス電話装置を構成する親機を示すブロック図であり、図１（ｂ）は一般的なコードレス電話装置を構成する子機を示すブロック図である。
【０００５】
図１（ａ）、図１（ｂ）において、１００は通信処理等を行うベースバンドＩＣ、２００は無線通信信号を送受信する無線部、３３はＲＡＭ、３４はＲＯＭ、３５は電話回線の制御を行う回線制御部、３７はスピーカ、３８はマイクロフォン、３９はキーボード、４０はＬＣＤ等の表示部である。
【０００６】
図２１はブルートゥースおよびコードレス電話の双方の無線通信が可能な従来のコードレス電話装置を示すブロック図であり、図１（ａ）、図１（ｂ）の親機、子機に共通な構成である。
【０００７】
図２１において、１００ａはブルートゥース通信用ＩＣ（ＢＴＩＣ）、１００ｂはコードレス電話通信用ＩＣ（ＣＤＬＩＣ）、１００ｃはＣＰＵ、２００ａはブルートゥース無線部（ＢＴ無線部）、２００ｂはコードレス無線部（ＣＤＬ無線部）である。ここで、図２１のコードレス電話装置は、図１のコードレス電話装置にブルートゥースによる無線通信が可能となるようにＢＴＩＣ１００ａとＢＴ無線部２００ａを追加したものである。なお、図２１のコードレスＩＣ１００ｂおよびＣＰＵ１００ｃは図１のベースバンドＩＣ１００に相当し、ブルートゥース無線部２００ａは図１の無線部２００に相当する。
【０００８】
図２１に示すように、従来のコードレス電話装置においては、ブルートゥース系統２００ａ、１００ａ、１００ｃとコードレス電話系統２００ｂ、１００ｂ、１００ｃとは別々に構成されており、ＣＰＵ１００ｃでブルートゥースモードに設定した場合にはブルートゥース系統が動作し、コードレス電話モードに設定した場合にはコードレス電話系統が動作する。
【０００９】
【発明が解決しようとする課題】
このように、従来のコードレス電話装置では、通常のコードレス電話通信に加えてブルートゥース通信をする場合に複数の無線部及び複数の通信用ＩＣを設ける必要があり、又それぞれ複数の無線部及び通信用ＩＣを並列にかつ同時に制御する必要があるという問題点を有していた。
【００１０】
この無線電話装置では、コードレス電話かブルートゥース通信かを自動的に判別し、その判別結果に応じた処理を行うことが要求される。
【００１１】
本発明は、この要求を満たすため、通常のコードレス電話通信機能に加えてブルートゥース通信機能を備える場合に、コードレス電話かブルートゥース通信かを自動的に判別し、その判別結果に応じた処理を行うことができる無線電話装置を提供することを目的とする。
【００１２】
【課題を解決するための手段】
上記課題を解決するために本発明の無線電話装置は、複数のデータフォーマットを送受信して処理する無線電話装置であって、複数のデータフォーマットを送受信する無線部と、他の無線装置を登録する際、他の無線装置の固有のＩＤを登録する登録部と、他の無線装置からのアクセスコードを判別し、判別結果に応じた処理を行う親機制御部とを有し、親機制御部は、他の無線装置を登録する際、他の無線装置に記憶された会社ＩＤを他の無線装置の固有のＩＤに関連付けて登録部に登録し、登録した会社ＩＤが特定のＩＤか否かに基づいてアクセスコードを判別する構成を備えている。
【００１３】
これにより、通常のコードレス電話通信機能に加えてブルートゥース通信機能を備える場合に、コードレス電話かブルートゥース通信かを自動的に判別し、その判別結果に応じた処理を行うことができる無線電話装置が得られる。
【００１４】
【発明の実施の形態】
本発明の請求項１に記載の無線電話装置は、複数の通信方式で他の無線電話装置と送受信を行う無線部と、前記他の無線電話装置から前記他の無線電話装置が有する前記複数の通信方式の機能の情報を前記他の無線電話装置の識別番号とともに記憶する記憶部と、前記他の無線電話装置との通信を可能とするため前記他の無線電話装置の識別番号を登録するときに、前記他の無線電話装置から前記他の無線電話装置の識別番号を受信し、前記他の無線電話装置へ前記他の無線電話装置が有する機能の情報を要求し、前記他の無線電話装置から前記他の無線電話装置が有する機能の情報を受信し、前記他の無線電話装置が有する機能の情報を前記記憶部に記憶させ、前記他の無線電話装置を登録するとき以降の他の無線電話装置と通信を開始したときに他の無線電話装置から受信した識別番号が前記記憶部に蓄積された他の無線電話装置の識別番号と一致したときに、前記他の無線電話装置の識別番号に一致する前記他の無線電話装置が有する機能を前記複数の通信方式の中から選択し、通信をする制御を行う制御部と、を備えたものである。
【００１６】
請求項２に記載の無線電話装置は、請求項１に記載の無線電話装置において、前記他の無線電話装置が有する機能の情報は、少なくとも通信速度に関する情報、通信部の送信電力の情報、本無線電話装置のバージョン情報のいずれか一つであることを特徴とするものである。
【００１８】
請求項３に記載の無線電話装置は、請求項１に記載の無線電話装置において、前記通信速度に関する情報は、エラー検知のみを行うデータフォーマットとエラー検知およびエラー訂正とを行うエラーデータフォーマットを区別する情報であることを特徴とするものである。
【００５８】
以下、本発明の実施の形態について、図１〜図２０を用いて説明する。
【００５９】
（実施の形態１）
図２、図３は本発明の実施の形態１によるコードレス電話装置を構成する親機、子機を示すブロック図である。
【００６０】
図２および図３において、１は送受信を切り替える送受信切替えスイッチ、２はデュアルモード（ここではブルートゥースモードとコードレス電話モード）での受信を行うデュアルモード受信機、３、１４、２８はデータのバッファとなるデータバッファ、４は上記デュアルモードのうち後述する親機制御部６から通知されたモードのフォーマットで受信データを分けるバースト受信データ作成器、５は受信した同期信号データがブルートゥースモードで通信を行うためのデータであると認識した場合にはブルートゥースデータであることを示す信号（ブルートゥース通知信号）を出力し、受信データがコードレス電話モードで通信を行うためのデータであると認識した場合にはコードレス電話データであることを示す信号（コードレス電話通知信号）を出力する同期識別器であり、ブルートゥースモードで通信を行うためのデータであるかコードレス電話モードで通信を行うためのデータであるかは、同期信号が会社ＩＤを有する子機から送信されたかどうかを同期信号中のアクセスコードから判断する。アクセスコードは、送信側子機毎に予め格納されているブルートゥースデバイスアドレスに基づいて作成されるものであり、親機側は子機登録の際このＰＩＮ番号を会社ＩＤ及び子機番号とともに関連付けて登録しているため、親機は送信されるアクセスコードに対応するＰＩＮ番号が、所定の会社ＩＤと関連して登録されているかを判断することにより、ブルートゥースのデータであるかコードレス電話のデータであるかを判断することになる。同期識別器５には、子機登録後、予めアクセスコードが所定の会社ＩＤを有するＰＩＮ番号と所定の会社ＩＤ以外のＰＩＮ番号とが制御部から送られる。６は全体を制御する親機制御部、７は同期識別器５からの通知によりブルートゥースまたはコードレス電話のどちらを受信したかを認識し、バースト受信データ作成器４にどちらのモードにするかをモードセレクト信号ｅにより通知するバースト制御部、８は周波数シンセサイザ、９は子機全体を制御する子機制御部、１０〜１３はバースト制御部７から通知されたアッテネータのレベル、フィルタのレベルにより音声の処理を行う音声エラー処理部、１５〜１８は受信した音声信号をデコードするスピーチデコーダ、１９はモデム送信を行うモデム送信部、２０はデュアルモードでの送信を電力を制御しつつ行うデュアルモード送信機、２１はバースト変調を行うバースト変調器、２３はバースト制御部７から通知されたモードのフォーマットに応じて送信するパケットを作成するバースト送信データ作成器、２４〜２７は送信する音声信号をエンコードするスピーチエンコーダ、２９はモデム受信を行うモデム受信部、３０はコードレス電話モードにおいてスロットを計数するコードレス電話スロットカウンタ（Ｃｏｒｄｌｅｓｓ  Ｓｌｏｔ  Ｃｏｕｎｔｅｒ）、３１はブルートゥースモードにおいてスロットを計数するブルートゥーススロットカウンタ（Ｂｌｕｅｔｏｏｔｈ  ＳｌｏｔＣｏｕｎｔｅｒ）、３２はスロット割込みを指示するスロット割込み器、３３はＲＯＭ、３４はＲＡＭ、３５は外部との間で回線を制御する回線制御部、３６はアンテナ、３７はスピーカ、３８はマイクロフォン、３９は入力部としてのキー（図１（ｂ）参照）である。
【００６１】
ここで、図１（ａ）、（ｂ）と図２、図３との対応について説明する。図１（ａ）、（ｂ）の無線部２００は図２、図３の構成要素１、２、８、２０に相当し、図１（ａ）のベースバンド１００は図２の構成要素１、２、８、２０、３３〜３５を除く部分に相当し、図１（ｂ）のベースバンド１００は図３の構成要素１、２、８、２０、３３、３４、３７、３８、３９を除く部分に相当する。
【００６２】
このように構成された無線通信装置としての親機について、その動作の概要を図２を用いて説明する。
【００６３】
送受信切替えスイッチ１を介してデュアルモード受信機で受信された受信データはデータバッファ３を介してバースト受信データ作成器４に入力される。バースト受信データ作成器４は、バースト制御部７から通知されたモードのフォーマットで受信データを分け、受信したデータの内容を判読する。同期識別器５は、デュアルモード受信機２から受信データを入力し、受信データがデュアルモードのうちのブルートゥースモードであるかコードレス電話モードであるかを認識し、その認識結果を親機制御部６のバースト制御部７に通知する。ここで、ブルートゥースとコードレス電話のデータフォーマットについて説明する。
【００６４】
図６（ａ）はブルートゥースのデータフォーマットを示すフォーマット図であり、図６（ｂ）、（ｃ）はコードレス電話のオプション１、オプション２のデータフォーマットを示すフォーマット図である。同期識別器５は、受信した同期信号データが所定の会社ＩＤ以外の子機からのものであれば、バースト制御部７にブルートゥースデータであることを通知信号ｃにより通知し、受信した同期信号データが所定の会社ＩＤの子機からのものであれば、バースト制御部７にコードレス電話データであることを通知信号ｃにより通知し、バースト制御部７は、同期識別器５から通知を受けると、そのときのスロットカウンタ（コードレス電話スロットカウント３０またはブルートゥーススロットカウンタ３１）の番号とモードとをＲＡＭ３４に記憶させる。なお、バースト制御部７は、すでに同期しているか又は接続中の場合は同期識別器５からの通知がなくても、バースト受信データ作成器４にモードを設定することができる。なお、バースト受信データ作成器４では、基本的に子機との通話路接続までは、図６（ａ）のデータフォーマットで受信データを分け、受信したデータの内容を判読するが、通話路接続時以降は、子機との通信がコードレス電話モードであれば、図６（ｂ）、（ｃ）のデータフォーマットで受信データを分け、受信したデータの内容を判読する。一方子機との通信がブルートゥースモードであれば、引続き図６（ａ）のデータフォーマットで受信データを分け、受信したデータの内容を判読する。又、図６（ａ）〜（ｃ）ともにＡｃｅｅｓｓ  Ｃｏｄｅについては同一フォーマットであるため、通話路接続までは、モードに関係なく、どのデータフォーマットでも通信できる。従って、親機の無線圏内に図６（ｃ）のデータフォーマットで送信する子機のデータを受信することができる。
【００６５】
バースト受信データ作成器４は、親機制御部６に無線制御データａおよび無線クオリティデータｂを出力する。無線制御データａはコードレス電話モードにおいて接続・同期を行うときに通信するデータであり、無線クオリティデータｂはコードレス電話データのプリアンブル（Ｐ、図６（ｂ）、（ｃ）参照）を受信中に生成される受信パルスのアイデータ（Ｅｙｅ、パルスのデューティ比がどれだけ５０％に近いかを示すデータ）を含むデータであり、これはアンテナダイバーシティや受信ゲインの切替えを行うためのデータである。またバースト受信データ作成器４は、無線クオリティデータｂにより、ブルートゥースモードではアクセスコード、ヘッダ（Ｈｅａｄｅｒ）（図６（ａ）参照）のエラーの有無やエラーの割合いなどをバースト制御部７に通知し、コードレス電話モードではアクセスコードやヘッダ（Ｈｅａｄｅｒ）、ペイロード（Ｐａｙｌｏａｄ）（図６（ｂ）、（ｃ）参照）のエラーの有無、エラーの割合いなどを通知する。バースト制御部７は、モードセレクト信号ｅによりバースト受信データ作成器４にモードを設定する。バースト制御部７は又、無線クオリティデータｂにより通知されたエラーの項目により重み付けを行い、アッテネータレベル、フィルタレベルを音声エラー処理部１０〜１３に通知する。
【００６６】
音声エラー処理部１０〜１３は、バースト制御部７からの通知により音声データの処理を行うと共に、スパイクノイズを常にチェックし、スパイクノイズを検知した場合、アッテネータの減衰度、フィルタの特性の制御を行う。バースト受信データ作成器４からの受信データはデータバッファ１４、モデム送信部１９、回線制御部３５を介して回線へ出力される。スピーチデコーダ１５〜１８は音声エラー処理部１０〜１３からのエラー処理された受信データ（音声データ）をデコードして音声信号として回線制御部３５から回線へ出力する。
【００６７】
回線からの音声信号は、回線制御部３５からスピーチエンコーダ２４〜２７に入力されてエンコードされ、音声データとしてバースト送信データ作成器２３に出力される。データは回線制御部３５、モデム受信部２９、データバッファ２８を介してバースト送信データ作成器２３に入力される。このときバースト制御部７は、ＲＡＭ３４に記憶されているデータとコードレス電話スロットカウンタ３０のカウントデータとブルートゥーススロットカウンタ３１のカウントデータとから、送信するスロットがコードレス電話のスロットかブルートゥースのスロットかを判定し、バースト送信データ作成器２３にモードセレクト信号ｆによりモードの通知を行う。バースト送信データ作成器２３は、通知されたモードのフォーマットに応じて送信するパケットデータを作成し、そのパケットデータをバースト変調器２１を介してデュアルモード送信機２０に出力する。デュアルモード送信機２０は、親機制御部６により、モードに応じた送信電力に制御される。デュアルモード送信機２０出力の上記パケットデータは送受信切替えスイッチ１を経てアンテナ３６から空中に電波信号として放射され、この電波信号は例えば図３の子機で受信される。デュアルモード送信機２０の送信出力としては、ブルートゥースモードでは１００ｍＷ最大、コードレス電話の場合には１０００ｍＷ（図６（ｂ）のデータフォーマット時）若しくは１２５ｍＷ（図６（ｃ）のデータフォーマット時）とすることが好適である。
【００６８】
次に、子機について、その動作の概要を図３を用いて説明する。
【００６９】
送受信切替えスイッチ１を介してデュアルモード受信機でモードに応じて受信された受信データはデータバッファ３を介してバースト受信データ作成器４に入力される。バースト受信データ作成器４は、バースト制御部７から通知されたモードのフォーマットで受信データを分け、受信したデータの内容を判読する。同期識別器５は、デュアルモード受信機２から受信データを入力し、受信データがデュアルモードのうちのブルートゥースモードであるかコードレス電話モードであるかを認識し、その認識結果を子機制御部９のバースト制御部７に通知する。ブルートゥースとコードレス電話のデータフォーマットは親機についての説明で述べた通りである。
【００７０】
バースト受信データ作成器４は、子機制御部９に無線制御データａおよび無線クオリティデータｂを出力する。無線制御データａはコードレス電話モードにおいて接続・同期を行うときに通信するデータであり、無線クオリティデータｂはコードレス電話データのプリアンブル（Ｐ、図６（ｂ）、（ｃ）参照）を受信中に生成される受信パルスのアイデータ（Ｅｙｅ、パルスのデューティ比がどれだけ５０％に近いかを示すデータ）を含むデータであり、これはアンテナダイバーシティや受信ゲインの切替えを行うためのデータである。またバースト受信データ作成器４は、無線クオリティデータｂにより、ブルートゥースモードではアクセスコード、ヘッダ（Ｈｅａｄｅｒ）（図６（ａ）参照）のエラーの有無やエラーの割合いなどをバースト制御部７に通知し、コードレス電話モードではアクセスコードやヘッダ（Ｈｅａｄｅｒ）、ペイロード（Ｐａｙｌｏａｄ）（図６（ｂ）、（ｃ）参照）のエラーの有無、エラーの割合いなどを通知する。バースト制御部７は、モードセレクト信号ｅによりバースト受信データ作成器４にモードを設定する。バースト制御部７は又、無線クオリティデータｂにより通知されたエラーの項目により重み付けを行い、アッテネータレベル、フィルタレベルを音声エラー処理部１０に通知する。
【００７１】
音声エラー処理部１０は、バースト制御部７からの通知により音声データの処理を行うと共に、スパイクノイズを常にチェックし、スパイクノイズを検知した場合、アッテネータの減衰度、フィルタの特性の制御を行う。バースト受信データ作成器４からの受信データは、データバッファ１４を介し、パソコンなどからＵＳＢなどを使って出力される。スピーチデコーダ１５は音声エラー処理部１０からのエラー処理された受信データ（音声データ）をデコードして音声信号としてスピーカ３７に出力する。
【００７２】
マイクロフォン３８からの音声信号はスピーチエンコーダ２４に入力されてエンコードされ、音声データとしてバースト送信データ作成器２３に出力される。パソコンなどからＵＳＢなどを使って入力されたデータはデータバッファ２８を介してバースト送信データ作成器２３に入力される。このときバースト制御部７は、ＲＡＭ３４に記憶されているデータとコードレス電話スロットカウンタ３０のカウントデータとブルートゥーススロットカウンタ３１のカウントデータとから、送信するスロットがコードレス電話のスロットかブルートゥースのスロットかを判定し、バースト送信データ作成器２３にモードセレクト信号ｆによりモードの通知を行う。バースト送信データ作成器２３は、通知されたモードのフォーマットに応じて送信するパケットデータを作成し、そのパケットデータをバースト変調器２１を介してデュアルモード送信機２０に出力する。デュアルモード送信機２０は、子機制御部９により、モードに応じた送信電力に制御される。デュアルモード送信機２０出力の上記パケットデータは送受信切替えスイッチ１を経てアンテナ３６から空中に電波信号として放射され、この電波信号は例えば図２の親機で受信される。
【００７３】
次に、親機制御部６と子機制御部９との間のシーケンス動作について、図４〜図８を用いて説明する。図４は子機登録時における親機制御部６と子機制御部９との間のシーケンス動作を示すシーケンス図であり、図５は通話路接続時における親機制御部６と子機制御部９との間のシーケンス動作を示すシーケンス図、図７（ａ）はブルートゥースモードにおけるタイムスロットの割当てを示すタイムスロット構成図、図７（ｂ）はコードレス電話モードにおけるオプション１のタイムスロットの割当てを示すタイムスロット構成フォーマット図、図８（ａ）はブルートゥースモードにおけるタイムスロットの割当てを示すタイムスロットスロット構成図（図７（ａ）と同様の図）、図８（ｂ）はコードレス電話モードにおけるオプション２のタイムスロットの割当てを示すタイムスロットスロット構成図である。
【００７４】
まず、子機登録手順について図４を用いて説明する。
【００７５】
ここで、子機からの登録要求の前に、予め子機および親機にそれぞれ固有に割り当てられたユニークな識別番号（固有のＩＤ）（ここでは、ブルートゥースデバイスアドレス）を子機から親機および親機から子機に相互に通知する（Ｓ１、Ｓ２）。
【００７６】
子機制御部９は、入力部３９の登録キー（図示せず）の押下を検知した場合、親機に対して登録要求を行う（Ｓ３）。登録要求を受け取った親機制御部６は、子機に対してＰＩＮ番号の要求を行う（Ｓ４）。ＰＩＮ番号の要求を受け取った子機制御部９は、親機に対してＰＩＮ番号を通知する（Ｓ５）。これにより、親機における子機登録が終了するので、親機制御部６は、子機に対して登録完了を通知する（Ｓ６）。次に、登録手続が完了した時点で次に親機制御部６は、子機に対して、会社ＩＤ（カンパニーＩＤ、Ｃｏｍｐａｎｙ  ＩＤ）とバージョン番号（改訂番号）を要求し（Ｓ７）、この要求を受け取った子機制御部９は、子機に既に記憶されている会社ＩＤとバージョン番号を親機に対して返信する（Ｓ８）。親機は、この会社ＩＤとバージョン番号をブルートゥースデバイスアドレスと共に登録する。これにより、子機の会社ＩＤの登録が完了する。なお、ここで言う会社ＩＤとは、規格管理団体等が申請者に対し割り当てる、各々固有のＩＤであり、例えばブルートゥースであれば、Ｃｏｍｐａｎｙ  ＩＤがこれに相当する。会社ＩＤとしては、特定の会社ＩＤ（例えば、親機の会社ＩＤと同一のもの）と特定でない会社ＩＤとがあり、それぞれの会社ＩＤは対応するメモリ領域（例えば第１のメモリ領域と第２のメモリ領域）に記憶される。
【００７７】
なお、上述したように、子機からの登録要求の前に予め子機および親機にそれぞれ固有に割り当てられたユニークな識別番号（固有のＩＤ）を子機から親機および親機から子機に相互に通知して、子機および親機共に通信可能な相手の固有のＩＤを認識しているため、会社ＩＤとバージョン番号を上記相手の固有のＩＤと共に関連付けて登録可能となる。ここで、ＰＩＮ番号の要求の際に、相手の固有のＩＤ（ブルートゥースデバイスアドレス）の通知要求を行うようにしてもよい。また、ＰＩＮ番号の要求に代えて、相手の固有のＩＤを要求するようにしてもよい。
【００７８】
次に、回線接続手順について図５〜図８を用いて説明する。
【００７９】
子機制御部９は、入力部３９の通話キー（図示せず）の押下を検知した場合、親機に対して回線接続要求を行う（Ｓ１１）。回線接続要求を受け取った親機制御部６は、子機に対して回線接続の確認データを送信し（Ｓ１２）、回線接続要求の完了（回線接続完了）を通知する（Ｓ１３）。次に、親機制御部６は、回線接続を要求した子機の登録時に入手した会社ＩＤが特定のＩＤであるか否かを上記記憶領域に基づいて判定し、特定のＩＤでないと判定したときは、ブルートゥースのデータフォーマット（６４ｋｂｓのＰＣＭ）で通信路の接続要求を行い（Ｓ１４）、子機は親機に対して通信路接続確認を返信し（Ｓ１５）、回線接続を完了する。親機制御部６が特定のＩＤであると判定したときは、コードレス電話のデータフォーマットのうち設定されていたものがオプション１を使用するかオプション２を使用するかを判定する。オプション１の場合は、ブルートゥースのデータフォーマット（６４ｋｂｓのＰＣＭ）で通信路の接続要求を行い（Ｓ１６）、子機は親機に対してコードレス電話のオプション１のデータフォーマット（３２ｋｂｓのＡＤＰＣＭ）（図６（ｂ）参照）で通信路接続確認を返信し（Ｓ１７）、回線接続を完了する。以降通話路を開放するまでの間オプション１のデータフォーマットで通信を行う。オプション２の場合は、ブルートゥースのデータフォーマット（６４ｋｂｓのＰＣＭ）で通信路の接続要求を行い（Ｓ１８）、子機は親機に対してコードレス電話のオプション２のデータフォーマット（３２ｋｂｓのＡＤＰＣＭ）（図６（ｃ）参照）で通信路接続確認を返信し（Ｓ１５）、回線接続を完了する。以降通話路を開放するまでの間オプション２のデータフォーマットで通信を行う。なお、図５に示すように、オプション１、２の通信においてはパワーコントロールも行う。パワーコントロールはチャンネルオプションで異なる。チャンネルオプションとしては、チャンネルオプション１とチャンネルオプション２があり、チャンネルオプション１とは、通信チャンネル７９のうちの７５チャンネルを使用し、スペアチャンネルが４チャンネルある場合であり、チャンネルオプション２とは、通信チャンネル７９のうちの１５チャンネルを使用し、スペアチャンネルが６４チャンネルある場合である。チャンネルオプション１においてはパワーは１０００ｍＷに設定され、遠距離通信が可能になる。チャンネルオプション２においてはパワーは、ブルートゥースの１００ｍＷよりも若干高い１２５ｍＷに設定される。なお、通信を行うタイムスロットは、以下に説明するようにオプション１とオプション２では異なる。
【００８０】
図７、図８は子機と親機との通信における時分割のためのスロット構成を示し、左下がり斜線はＵｐ（子機から親機への通信）を、右下がり斜線はＤｏｗｎ（親機から子機への通信）を示す。図７（ａ）、図８（ａ）は１つの子機に対する通信を示し、６スロット毎に送信・受信のそれぞれが行われる場合を示す。図７（ｂ）はオプション１におけるスロット構成を示し、子機（ＨＳ）が４つの場合を示す。オプション１においては３２ｋｂｓのＡＤＰＣＭでよく、１２スロット毎に送信・受信のそれぞれが行われる。また、図８（ｂ）はオプション２におけるスロット構成を示し、子機（ＨＳ）が２つの場合を示す。オプション２においては３２ｋｂｓのＡＤＰＣＭでよいが、図６（ｂ）、（ｃ）に示すようにスロットフォーマットにおけるペイロードがオプション１の半分であり、送信・受信のそれぞれを６スロット毎に行う必要がある。なお、図６（ｂ）、（ｃ）共にＣＲＣデータを有するが、図６（ｂ）のＣＲＣにおいてはペイロードのエラー検知は行うがエラー訂正は行わず、図６（ｃ）のＣＲＣにおいてはペイロードのエラー検知、エラー訂正の両方を行う。
【００８１】
図９、図１０は親機制御部６、子機制御部９における機能実現手段を示す機能ブロック図である。
【００８２】
図９において、６１は子機に会社ＩＤを要求する会社ＩＤ要求手段、６２は親機の初期化を行う初期化手段、６３は時間の計測を行う計時手段、６４は子機から返信があったか否かを判定すると共に返信があったと判定したときの子機の会社ＩＤが特定のＩＤであるかを判定する判定手段、６５は繰返し回数等の回数を計数する計数手段、６６は子機の会社ＩＤが特定のＩＤである場合には子機の会社ＩＤと子機の会社ＩＤの改訂番号とを第１の親機メモリ領域（図示せず）に記憶すると共に子機の会社ＩＤが特定のＩＤでない場合には子機の会社ＩＤと子機の会社ＩＤの改訂番号とを第２の親機メモリ領域（図示せず）に記憶する記憶手段である。
【００８３】
また、７１は子機の初期化を行う初期化手段、７２は時間の計測を行う計時手段、７３は親機から会社ＩＤの要求があったか否かを判定すると共に要求があったときには要求のあった会社ＩＤが特定のＩＤか否かを判定する判定手段、７４は繰返し回数等の回数を計数する計数手段、７５は子機の会社ＩＤが特定のＩＤである場合には子機の会社ＩＤと子機の会社ＩＤの改訂番号とを第１の子機メモリ領域（図示せず）に記憶すると共に子機の会社ＩＤが特定のＩＤでない場合には子機の会社ＩＤと子機の会社ＩＤの改訂番号とを第２の子機メモリ領域（図示せず）に記憶する記憶手段、７６は子機の会社ＩＤと子機の会社ＩＤの改訂番号とを親機に送信する送信手段である。
【００８４】
このように構成された親機と子機の会社ＩＤ登録手順について、図１１、図１２を用いて説明する。図１１は親機における会社ＩＤ登録手順を示すフローチャートであり、図１２は子機における会社ＩＤ登録手順を示すフローチャートである。
【００８５】
まず、親機における会社ＩＤ登録手順について、図１１を用いて説明する。
【００８６】
会社ＩＤ要求手段６１は、子機に対して会社ＩＤを要求する（Ｓ２１）。このとき親機の会社ＩＤとバージョン番号も子機に通知する。次に、初期化手段６２はタイマを初期化すると共に番号Ｎをゼロに設定する（Ｓ２２）。次に、判定手段６４は、子機からの返信があったか否かを判定し（Ｓ２３、Ｓ２４）、返信があったと判定したときは、次に、返信メッセージの中の会社ＩＤが特定のＩＤか否かを判定し（Ｓ２５、Ｓ２６）、特定のＩＤであれば、記憶手段６６は、特定の会社ＩＤであるとしてバージョン番号と共に第１のメモリ領域に記憶し（Ｓ２７）、特定のＩＤでなければ会社ＩＤとバージョン番号を第２のメモリ領域に記憶する（Ｓ２８）。ステップＳ２４において通信が無しと判定したときは、計数手段６５は、次の受信スロットで返信があったかを確認するため、番号Ｎを１だけ増加し、計時手段６３はタイムアウトか否かを判定し（Ｓ３０）、タイムアウトでなければステップＳ２３へ戻り、タイムアウトであれば、この登録手順を終了する。
【００８７】
次に、子機における会社ＩＤ登録手順について、図１２を用いて説明する。
【００８８】
まず、初期化手段７１はタイマを初期化すると共に番号Ｎをゼロに設定する（Ｓ４１）。次に、判定手段７３は、親機からの会社ＩＤの要求の有無を判定し（Ｓ４２、Ｓ４３）、要求があったと判定したときは、次に、要求メッセージに対応する会社ＩＤ（つまり子機自らの会社ＩＤ）が特定のＩＤか否かを判定し（Ｓ４４、Ｓ４５）、特定のＩＤであれば、記憶手段７５は、特定の会社ＩＤであるとしてバージョン番号と共に第１のメモリ領域に記憶し（Ｓ４６）、その会社ＩＤとバージョン番号を送信手段７６が親機に送信する（Ｓ４７）。特定のＩＤでなければ会社ＩＤとバージョン番号を第２のメモリ領域に記憶し（Ｓ４８）、その会社ＩＤとバージョン番号を送信手段７６が親機に送信する（Ｓ４９）。ステップＳ４３において要求無しと判定したときは、計数手段７４は、番号Ｎを１だけ増加し、計時手段７２はタイムアウトか否かを判定し（Ｓ３０）、タイムアウトでなければステップＳ４２へ戻り、タイムアウトであれば、この登録手順を終了する。
【００８９】
以上のように本実施の形態によれば、複数のデータフォーマットを送受信して処理する無線電話装置であって、複数のデータフォーマットを送受信する無線部と、他の無線装置を登録する際、他の無線装置の固有のＩＤを登録する登録部と、他の無線装置からのアクセスコードを判別し、判別結果に応じた処理を行う親機制御部６とを有し、親機制御部６は、他の無線装置を登録する際、他の無線装置に記憶された会社ＩＤを他の無線装置の固有のＩＤに関連付けて登録部に登録し、固有のＩＤに関連付けた会社ＩＤが特定のＩＤであるか否かによりアクセスコードを判別するようにしたことにより、親機制御部６は、会社ＩＤに応じて通信すべき無線信号（例えばデータフォーマット）を選択、例えば会社ＩＤが特定ＩＤである場合にはコードレス電話に対応する無線信号を選択し、特定ＩＤでない場合にはブルートゥースに対応する無線信号を選択するようにすることができるので、それぞれの状況に応じた無線通信信号を選択することができる。
【００９０】
また、親機制御部６は、第１のデータフォーマットにより同期処理を行うとともに、他の無線電話装置との間の通話路接続を行う際、登録した他の無線電話装置の会社ＩＤが特定のＩＤでない場合には引続き第１のデータフォーマットで通信を行い、登録した他の無線電話装置の会社ＩＤが特定のＩＤである場合には第２のデータフォーマットで通信を行うことにより、例えば、通信相手の無線電話装置の会社ＩＤが特定のＩＤである場合には音質が良く長距離通信が可能なように構成したデータフォーマットによりコードレス電話通信を行うことができ、通信相手の無線電話装置の会社ＩＤが特定のＩＤでない場合には引続き通常の音質で短距離通信が可能なブルートゥースのデータフォーマットによりブルートゥース通信を行うことができ、通信相手の無線電話装置の会社ＩＤに応じた品質の通信が可能になる。
【００９１】
さらに、親機制御部６は、第２のデータフォーマットとして、ペイロードのエラー検知のみを行うエラー検知データを含む第３のデータフォーマットと、ペイロードのエラー検知およびエラー訂正を行うエラー検知データを含む第４のデータフォーマットとのいずれかを選択することができることにより、通信相手の無線電話装置の会社ＩＤが特定のＩＤである場合に選択される第２のデータフォーマット（例えば、コードレス電話のデータフォーマット）として、第３のデータフォーマットまたは第４のデータフォーマットを選択することができるので、通信相手の無線電話装置の会社ＩＤに応じた音質の通信を行うことができる共に、さらに音質、通話距離、同時通信数などのような通信条件の異なる通信をユーザーにより選択することができる。
【００９２】
さらに、親機制御部６は、第２のデータフォーマットにおいては、前記複数のチャンネルオプションのいずれかを選択することにより、送信電力を第１のデータフォーマットで通信する場合よりも高い送信電力に設定することができることにより、通信相手の無線電話装置の会社ＩＤに応じた音質と距離の通信を行うことができる。
【００９３】
さらに、親機制御部６は、他の無線電話装置に会社ＩＤを要求する会社ＩＤ要求手段６１と、他の無線電話装置から返信があったか否かを判定すると共に返信があったと判定したときの他の無線電話装置の会社ＩＤが特定のＩＤであるかを判定する判定手段６４と、他の無線電話装置の会社ＩＤが特定のＩＤである場合には他の無線電話装置の会社ＩＤと無線電話装置のバージョン情報とを第１のメモリ領域に記憶すると共に他の無線電話装置の会社ＩＤが特定のＩＤでない場合には他の無線電話装置の会社ＩＤと他の無線電話装置のバージョン情報とを第２のメモリ領域に記憶する記憶手段６６とを有することにより、親機は、通信相手の無線通信装置の会社ＩＤに応じた品質の通信を確実に行うことができる。
【００９４】
さらに、第１のデータフォーマットが、ブルートゥースのデータフォーマットであることにより、通常はブルートゥースのデータフォーマットで通信し、通話路接続以降は、通信相手の無線電話装置の会社ＩＤに従ったデータフォーマットで通信できるため、通常のコードレス電話通信機能に加えてブルートゥース通信機能を備える場合に、コードレス電話かブルートゥース通信かを自動的に判別し、その判別結果に応じた処理を行うことができる。
【００９５】
さらに、第３のデータフォーマットを、ペイロードのデータ長を第１のデータフォーマットのペイロードと同一データ長とし、スロット間隔を第１のデータフォーマットの２倍としたことにより、第１のデータフォーマットでの通信時に比べて倍の無線電話装置と同時に通信することができるという有利な効果が得られる。例えば、コードレス通信ではブルートゥース通信に比べて２倍（６台）の無線電話装置と同時に通信することができる。
【００９６】
さらに、第４のデータフォーマットは、ペイロードのデータ長を第１のデータフォーマットのペイロードの半分のデータ長とし、スロット間隔を第１のデータフォーマットと同一としたことにより、第１のデータフォーマットでの通信時に比べてのエラー検知データなどの情報を付加することができ、通話品質の向上を図ることができる。
【００９７】
（実施の形態２）
本発明の実施の形態２による親機と子機の構成は、実施の形態１と同様、図１〜図３に示す構成である。本実施の形態は、実施の形態１にデータ通信を行う動作を追加したものである。なお、通信フォーマットの変更を、実施の形態１では会社ＩＤに基づくのに対し、本実施の形態では、固有ＩＤ（ブルートゥースデバイスアドレス）に基づくものとして説明しているが、実施の形態１のように会社ＩＤに基づくように構成しても本発明の趣旨の範囲内である。
【００９８】
このように構成された親機の親機制御部６と子機の子機制御部９との間のシーケンス動作について、図６、図１３〜図１６を用いて説明する。図１３（ａ）は子機登録時における親機制御部６と子機制御部９との間のシーケンス動作を示すシーケンス図であり、図１３（ｂ）は機能情報格納手順を示すシーケンス図、図１４（ａ）は通話路接続時における親機制御部６と子機制御部９との間のシーケンス動作を示すシーケンス図、図１４（ｂ）はデータ通信路接続時における親機制御部６と子機制御部９との間のシーケンス動作を示すシーケンス図、図１５（ａ）はブルートゥースのデータフォーマット（データ信号のフォーマット）を示すフォーマット図、図１５（ｂ）はコードレス電話のオプション３のデータフォーマットを示すフォーマット図、図１６（ａ）はブルートゥースモードにおけるタイムスロットの割当てを示すタイムスロット構成図、図１６（ｂ）はコードレス電話モードにおけるオプション３のタイムスロット（データ送受信のためのタイムスロット）の割当てを示すタイムスロット構成フォーマット図である。
【００９９】
まず、子機登録手順について図１３を用いて説明する。なお、図１５において、Ｈｅはペイロードヘッダ（Ｐａｙｌｏａｄ  Ｈｅａｄｅｒ）である。
【０１００】
ここで、子機からの登録要求の前に、予め子機および親機にそれぞれ固有に割り当てられたユニークな識別番号（固有のＩＤ）（ここでは、ブルートゥースデバイスアドレス）を子機から親機および親機から子機に相互に通知する（Ｓ６１、Ｓ６２）。
【０１０１】
図１３（ａ）において、子機制御部９は、入力部３９の登録キー（図示せず）の押下を検知した場合、親機に対して登録要求を行う（Ｓ６３）。登録要求を受け取った親機制御部６は、子機に対してＰＩＮ番号の要求を行う（Ｓ６４）。ＰＩＮ番号の要求を受け取った子機制御部９は、親機に対してＰＩＮ番号を通知する（Ｓ６５）。これにより、親機における子機登録が終了するので、親機制御部６は、子機に対して登録完了を通知する（Ｓ６６）。なお、ステップＳ６１〜Ｓ６６におけるデータフォーマットは図１５（ａ）に示すデータフォーマットである。ステップＳ６６で登録手続が完了したとき、ブルートゥースデバイスアドレスの上位ビットが所定の番号（予め記憶部に記憶した番号）であるか否かをチェックし、所定の番号である場合、以下に説明する機能情報確認手順を行う。なお、ブルートゥースデバイスアドレスの上位ビットには、事業体別に与えられる番号、以下ビットは事業体がそれぞれ個別に割り当てる番号である。上位ビットの事業者別コードは所定の団体が割り当て管理し、事業者の申請により番号の割り当てを行うこととされている。
【０１０２】
次に、機能情報確認手順について説明する。図１３（ｂ）において、登録手続が完了した時点で親機制御部６は、子機に対して、子機の機能情報（例えば高速通信機能をサポートしているか否かを示す情報や高速通信機能の有する通信速度を示す情報）を要求し（Ｓ６７）、この要求を受け取った子機制御部９は、子機に既に記憶されている機能情報を親機に対して返信する（Ｓ６８）。親機は、子機の機能情報をブルートゥースデバイスアドレスと共に登録する。次に、子機制御部９は、親機に対して、親機の機能情報（例えばどのような通信機能をサポートしているかを示す情報やデータ通信機能をサポートしている場合の通信速度を示す情報など）を要求し（Ｓ６９）、この要求を受け取った親機制御部６は、親機に既に記憶されている機能情報を子機に対して返信する（Ｓ７０）。子機は、親機の機能情報をブルートゥースデバイスアドレスと共に登録する。これにより子機の機能情報の登録が完了する。
【０１０３】
なお、ステップＳ６１〜Ｓ７０におけるデータフォーマットは図１５（ａ）に示すデータフォーマットである。また、上述したように、子機からの登録要求の前に予め子機および親機にそれぞれ固有に割り当てられたユニークな識別番号（固有のＩＤ）を子機から親機および親機から子機に相互に通知して、子機および親機共に通信可能な相手の固有のＩＤを認識しているため、機能情報を上記相手の固有のＩＤと共に関連付けて登録可能となる。ここで、ＰＩＮ番号の要求の際に、相手の固有のＩＤ（ブルートゥースデバイスアドレス）の通知要求を行うようにしてもよい。また、ＰＩＮ番号の要求に代えて、相手の固有のＩＤを要求するようにしてもよい。
【０１０４】
次に、回線接続手順について図６、図１４〜図１６を用いて説明する。
【０１０５】
まず、親機と子機が特定のブルートゥースデバイスアドレスでない場合又はデータ通信機能をサポートしていない場合について説明する。
【０１０６】
図１４（ａ）に示すように、子機制御部９は、入力部３９の通話キー（図示せず）の押下を検知した場合、親機に対して回線接続要求を行う（Ｓ７１）。回線接続要求を受け取った親機制御部６は、子機に対して回線接続の確認データを送信し（Ｓ７２）、回線接続要求の完了（回線接続完了）を通知する（Ｓ７３）。次に、親機制御部６は通信路の接続要求を行い（Ｓ７４）、子機制御部９は親機に対して通信路接続確認を返信し（Ｓ７５）、回線接続を完了する。なお、ステップＳ７１〜Ｓ７５におけるデータフォーマットは図１５（ａ）に示すデータフォーマットであり、ステップＳ７５より以降のデータフォーマットは図１５（ａ）である。
【０１０７】
次に、親機と子機が特定のブルートゥースデバイスアドレスであり、かつデータ通信機能をサポートしている場合について説明する。
【０１０８】
図１４（ｂ）に示すように、子機制御部９は、入力部３９の通話キー（図示せず）の押下を検知した場合、親機に対して、データ通信接続を含む回線接続要求を行う（Ｓ７６）。回線接続要求を受け取った親機制御部６は、子機に対して回線接続の確認データを送信し（Ｓ７７）、回線接続要求の完了（回線接続完了）を通知する（Ｓ７８）。次に、親機制御部６は、通信速度と変調方式を指定してデータ通信接続要求を行い（Ｓ７９）、子機制御部９は、通信速度と変調方式を逆指定してデータ通信接続要求を行う（Ｓ８０）。この逆指定の通信速度と変調方式によるデータ通信接続要求を受信した親機制御部６は、その通信速度と変調方式によるデータ通信接続の確認データを返信し（Ｓ８１）、この確認データを受信した子機制御部９も、確認データを返信する（Ｓ８２）。
【０１０９】
なお、ステップＳ７６〜Ｓ８２におけるデータフォーマットは図１５（ａ）に示すデータフォーマットであり、ステップＳ８２より以降のデータフォーマットは図１５（ｂ）に示すデータフォーマットである。
【０１１０】
図１７、図１８は親機制御部６、子機制御部９における機能実現手段を示す機能ブロック図である。
【０１１１】
図１７において、８１は子機のブルートゥースデバイスアドレス（固有のＩＤ）を確認する確認手段、８２は固有のＩＤが特定のＩＤか否かを判定すると共に子機が特定の機能をサポートしているか否かを判定する判定手段、８３は子機がサポートしている特定の機能を問い合わせる問い合わせ手段、８４は子機からのデータを受信する受信手段、８５は固有のＩＤとしてのブルートゥースデバイスアドレス及び子機がサポートしている特定の機能を記憶する記憶手段である。
【０１１２】
また、図１８において、９１は親機のブルートゥースデバイスアドレス（固有のＩＤ）を確認する確認手段、９２は固有のＩＤが特定のＩＤか否かを判定すると共に親機が特定の機能をサポートしているか否かを判定する判定手段、９３は親機がサポートしている特定の機能を問い合わせる問い合わせ手段、９４は親機からのデータを受信する受信手段、９５は固有のＩＤとしてのブルートゥースデバイスアドレス及び親機がサポートしている特定の機能を記憶する記憶手段である。
【０１１３】
このように構成された親機と子機の機能情報格納手順について、図１９、図２０を用いて説明する。図１９は親機における機能情報格納手順を示すフローチャートであり、図２０は子機における機能情報格納手順を示すフローチャートである。ここで、機能情報とは、データ通信が可能か否かを示す情報や、そのデータ通信における通信速度を示す情報などである。
【０１１４】
まず、親機における機能情報格納手順について、図１９を用いて説明する。
【０１１５】
図１９において、確認手段８１は子機のブルートゥースデバイスアドレス（固有のＩＤ）を確認する（Ｓ９１）。次に、判定手段８２は、上記ブルートゥースデバイスアドレスが特定のアドレスか否かを上記ブルートゥースデバイスアドレスの所定の部分に所定のコードが含まれているか否かにより判定し（Ｓ９２）、特定のアドレスであると判定した場合は、問い合わせ手段８３は、子機がサポートしている機能を問い合わせ（Ｓ９３）、受信手段８４は、子機がサポートしている特定の機能を受信する（Ｓ９４）。次に、判定手段８２は、特定の機能をサポートしているか否かを判定し（Ｓ９５）、特定の機能をサポートしていると判定した場合は、記憶手段８５は、ブルートゥースカウンタの番号と共にブルートゥースデバイスアドレスとサポートする機能をＲＡＭ３４に記憶させる（Ｓ９６）。ステップＳ９５で特定の機能をサポートしていないと判定した場合も、記憶手段８５は、ブルートゥースカウンタの番号と共にブルートゥースデバイスアドレスとサポートする機能をＲＡＭ３４に記憶させる（Ｓ９７）。ステップＳ９２で特定のアドレスでないと判定した場合は、記憶手段８５は、ブルートゥースカウンタの番号と共にブルートゥースデバイスアドレスをＲＡＭ３４に記憶させる（Ｓ９８）。
【０１１６】
次に、子機における機能情報格納手順について、図２０を用いて説明する。
【０１１７】
図２０において、確認手段９１は親機のブルートゥースデバイスアドレス（固有のＩＤ）を確認する（Ｓ１０１）。次に、判定手段９２は、上記ブルートゥースデバイスアドレスが特定のアドレスか否かを上記ブルートゥースデバイスアドレスの所定の部分に所定のコードが含まれているか否かにより判定し（Ｓ１０２）、特定のアドレスであると判定した場合は、問い合わせ手段９３は、親機がサポートしている機能を問い合わせ（Ｓ１０３）、受信手段９４は、親機がサポートしている特定の機能を受信する（Ｓ１０４）。次に、判定手段９２は、特定の機能をサポートしているか否かを判定し（Ｓ１０５）、特定の機能をサポートしていると判定した場合は、記憶手段９５は、ブルートゥースカウンタの番号と共にブルートゥースデバイスアドレスとサポートする機能をＲＡＭ３４に記憶させる（Ｓ１０６）。ステップＳ１０５で特定の機能をサポートしていないと判定した場合も、記憶手段９５は、ブルートゥースカウンタの番号と共にブルートゥースデバイスアドレスとサポートする機能をＲＡＭ３４に記憶させる（Ｓ１０７）。ステップＳ１０２で特定のアドレスでないと判定した場合は、記憶手段９５は、ブルートゥースカウンタの番号と共にブルートゥースデバイスアドレスをＲＡＭ３４に記憶させる（Ｓ１０８）。
【０１１８】
以上のように本実施の形態によれば、複数のデータフォーマットを送受信して処理する無線電話装置であって、複数のデータフォーマットを送受信する無線部２００と、他の無線装置を登録する際、他の無線装置の固有のＩＤを登録する登録部３３と、固有のＩＤに基づいて他の無線装置からのアクセスコードを判別し、判別結果に応じた処理を行う親機制御部６とを有することにより、親機制御部６は、固有のＩＤに応じて通信すべき無線信号（例えばデータフォーマット）を選択、例えば固有のＩＤが特定ＩＤである場合にはコードレス電話に対応する無線信号を選択し、特定ＩＤでない場合にはブルートゥースに対応する無線信号を選択するようにすることができるので、それぞれの状況に応じた無線通信信号を選択することができる。
【０１１９】
また、親機制御部６は、固有のＩＤの所定の部分に所定のコードが含まれているか否かを判別すると共に、特定の通信機能をサポートしているか否かを判別し、判別結果に応じた処理を行うことにより、親機制御部６は、固有のＩＤの所定の部分に所定のコードが含まれ、かつ特定の通信機能をサポートしている場合には、その特定の通信機能を用いて通信を行うことができ、特定の通信機能が高速データ通信の場合にはデータを高速に伝送できる有利な効果が得られる。
【０１２０】
さらに、特定の通信機能が１Ｍｂｐｓ〜１０Ｍｂｐｓの高速データ通信機能であることにより、データを１Ｍｂｐｓ〜１０Ｍｂｐｓの範囲で高速に伝送することができる。
【０１２１】
さらに、親機制御部６は、他の無線装置の固有のＩＤを確認する確認手段８１と、所定の部分に所定のコードが含まれているか否かを判定すると共に他の無線装置が特定の機能をサポートしているか否かを判定する判定手段８２と、固有のＩＤが特定のＩＤでかつ他の無線装置が特定の機能をサポートしている場合には固有のＩＤと特定の機能を記憶する記憶手段８５とを有することにより、親機は、通信相手の無線装置の固有のＩＤに応じた品質の通信を確実に行うことができる。
【０１２２】
【発明の効果】
以上説明したように、複数のデータフォーマットを送受信して処理する無線電話装置であって、複数のデータフォーマットを送受信する無線部と、他の無線装置を登録する際、他の無線装置の固有のＩＤを登録する登録部と、他の無線装置からのアクセスコードを判別し、判別結果に応じた処理を行う親機制御部とを有し、親機制御部は、他の無線装置を登録する際、他の無線装置に記憶された会社ＩＤを他の無線装置の固有のＩＤに関連付けて登録部に登録し、登録した会社ＩＤが特定のＩＤか否かに基づいてアクセスコードを判別することにより、親機制御部は、会社ＩＤに応じて通信すべき無線信号（例えばデータフォーマット）を選択、例えば会社ＩＤが特定ＩＤである場合にはコードレス電話に対応する無線信号を選択し、特定ＩＤでない場合にはブルートゥースに対応する無線信号を選択するようにすることができるので、それぞれの状況に応じた無線通信信号を選択することができるという有利な効果が得られる。
【０１２３】
親機制御部は、第１のデータフォーマットにより同期処理を行うとともに、他の無線電話装置との間の通話路接続を行う際、登録した他の無線電話装置の会社ＩＤが特定のＩＤでない場合には引続き第１のデータフォーマットで通信を行い、登録した他の無線電話装置の会社ＩＤが特定のＩＤである場合には第２のデータフォーマットで通信を行うことにより、例えば、通信相手の無線電話装置の会社ＩＤが特定のＩＤである場合には音質が良く長距離通信が可能なように構成したデータフォーマットによりコードレス電話通信を行うことができ、通信相手の無線電話装置の会社ＩＤが特定のＩＤでない場合には引続き通常の音質で短距離通信が可能なブルートゥースのデータフォーマットによりブルートゥース通信を行うことができ、通信相手の無線電話装置の会社ＩＤに応じた品質の通信が可能になるという有利な効果が得られる。
【０１２４】
親機制御部は、第２のデータフォーマットとして、ペイロードのエラー検知のみを行うエラー検知データを含む第３のデータフォーマットと、ペイロードのエラー検知およびエラー訂正を行うエラー検知データを含む第４のデータフォーマットとのいずれかを選択することができることにより、通信相手の無線電話装置の会社ＩＤが特定のＩＤである場合に選択される第２のデータフォーマット（例えば、コードレス電話のデータフォーマット）として、第３のデータフォーマットまたは第４のデータフォーマットを選択することができるので、通信相手の無線電話装置の会社ＩＤに応じた音質の通信を行うことができる共に、さらに音質、通話距離、同時通信数などのような通信条件の異なる通信をユーザーにより選択することができるという有利な効果が得られる。
【０１２５】
親機制御部は、第２のデータフォーマットにおいては、前記複数のチャンネルオプションのいずれかを選択することにより、送信電力を第１のデータフォーマットで通信する場合よりも高い送信電力に設定することができることにより、通信相手の無線電話装置の会社ＩＤに応じた音質と距離の通信を行うことができるという有利な効果が得られる。
【０１２６】
親機制御部は、他の無線電話装置に会社ＩＤを要求する会社ＩＤ要求手段と、他の無線電話装置から返信があったか否かを判定すると共に返信があったと判定したときの他の無線電話装置の会社ＩＤが特定のＩＤであるかを判定する判定手段と、他の無線電話装置の会社ＩＤが特定のＩＤである場合には他の無線電話装置の会社ＩＤと無線電話装置のバージョン情報とを第１のメモリ領域に記憶すると共に他の無線電話装置の会社ＩＤが特定のＩＤでない場合には他の無線電話装置の会社ＩＤと他の無線電話装置のバージョン情報とを第２のメモリ領域に記憶する記憶手段とを有することにより、親機は、通信相手の無線通信装置の会社ＩＤに応じた品質の通信を確実に行うことができるという有利な効果が得られる。
【０１２７】
第１のデータフォーマットが、ブルートゥースのデータフォーマットであることにより、通常はブルートゥースのデータフォーマットで通信し、通話路接続以降は、通信相手の無線電話装置の会社ＩＤに従ったデータフォーマットで通信できるため、通常のコードレス電話通信機能に加えてブルートゥース通信機能を備える場合に、コードレス電話かブルートゥース通信かを自動的に判別し、その判別結果に応じた処理を行うことができるという有利な効果が得られる。
【０１２８】
第３のデータフォーマットを、ペイロードのデータ長を第１のデータフォーマットのペイロードと同一データ長とし、スロット間隔を第１のデータフォーマットの２倍としたことにより、第１のデータフォーマットでの通信時に比べて倍の無線電話装置と同時に通信することができるという有利な効果が得られる。例えば、コードレス通信ではブルートゥース通信に比べて２倍（６台）の無線電話装置と同時に通信することができるという有利な効果が得られる。
【０１２９】
第４のデータフォーマットは、ペイロードのデータ長を第１のデータフォーマットのペイロードの半分のデータ長とし、スロット間隔を第１のデータフォーマットと同一としたことにより、第１のデータフォーマットでの通信時に比べてのエラー検知データなどの情報を付加することができ、通話品質の向上を図ることができるという有利な効果が得られる。
【０１３０】
親機制御部は、固有のＩＤの所定の部分に所定のコードが含まれているか否かを判別すると共に、特定の通信機能をサポートしているか否かを判別し、判別結果に応じた処理を行うことにより、親機制御部は、固有のＩＤの所定の部分に所定のコードが含まれ、かつ特定の通信機能をサポートしている場合には、その特定の通信機能を用いて通信を行うことができ、特定の通信機能が高速データ通信の場合にはデータを高速に伝送できるという有利な効果が得られる。
【０１３１】
特定の通信機能は、１Ｍｂｐｓ〜１０Ｍｂｐｓの高速データ通信機能であることにより、データを１Ｍｂｐｓ〜１０Ｍｂｐｓの範囲で高速に伝送できるという有利な効果が得られる。
【０１３２】
親機制御部は、他の無線装置の固有のＩＤを確認する確認手段と、所定の部分に所定のコードが含まれているか否かを判定すると共に他の無線装置が特定の機能をサポートしているか否かを判定する判定手段と、固有のＩＤが特定のＩＤでかつ他の無線装置が特定の機能をサポートしている場合には固有のＩＤと特定の機能を記憶する記憶手段とを有することにより、親機は、通信相手の無線装置の固有のＩＤに応じた品質の通信を確実に行うことができるという有利な効果が得られる。
【０１３３】
複数のデータフォーマットを送受信して処理する無線電話装置であって、複数のデータフォーマットを送受信する無線部と、他の無線装置を登録する際、他の無線装置の固有のＩＤを登録する登録部と、固有のＩＤに基づいて他の無線装置からのアクセスコードを判別し、判別結果に応じた処理を行う親機制御部とを有することにより、親機制御部は、固有のＩＤに応じて通信すべき無線信号（例えばデータフォーマット）を選択、例えば固有のＩＤが特定ＩＤである場合にはコードレス電話に対応する無線信号を選択し、特定ＩＤでない場合にはブルートゥースに対応する無線信号を選択するようにすることができるので、それぞれの状況に応じた無線通信信号を選択することができるという有利な効果が得られる。
【０１３４】
親機制御部は、固有のＩＤの所定の部分に所定のコードが含まれているか否かを判別すると共に、特定の通信機能をサポートしているか否かを判別し、判別結果に応じた処理を行うことにより、親機制御部は、固有のＩＤの所定の部分に所定のコードが含まれ、かつ特定の通信機能をサポートしている場合には、その特定の通信機能を用いて通信を行うことができ、特定の通信機能が高速データ通信の場合にはデータを高速に伝送できるという有利な効果が得られる。
【０１３５】
特定の通信機能は１Ｍｂｐｓ〜１０Ｍｂｐｓの高速データ通信機能であることにより、データを１Ｍｂｐｓ〜１０Ｍｂｐｓの範囲で高速に伝送できるという有利な効果が得られる。
【０１３６】
親機制御部は、他の無線装置の固有のＩＤを確認する確認手段と、所定の部分に所定のコードが含まれているか否かを判定すると共に他の無線装置が特定の機能をサポートしているか否かを判定する判定手段と、固有のＩＤが特定のＩＤでかつ他の無線装置が特定の機能をサポートしている場合には固有のＩＤと特定の機能を記憶する記憶手段とを有することにより、親機は、通信相手の無線装置の固有のＩＤに応じた品質の通信を確実に行うことができるという有利な効果が得られる。
【０１３７】
親機制御部は、第１のデータフォーマットにより同期処理を行うとともに、他の無線電話装置との間の通話路接続を行う際、登録した他の無線電話装置の会社ＩＤが特定のＩＤでない場合には引続き第１のデータフォーマットで通信を行い、登録した他の無線電話装置の会社ＩＤが特定のＩＤである場合には第２のデータフォーマットで通信を行うことにより、例えば、通信相手の無線電話装置の会社ＩＤが特定のＩＤである場合には音質が良く長距離通信が可能なように構成したデータフォーマットによりコードレス電話通信を行うことができ、通信相手の無線電話装置の会社ＩＤが特定のＩＤでない場合には引続き通常の音質で短距離通信が可能なブルートゥースのデータフォーマットによりブルートゥース通信を行うことができ、通信相手の無線電話装置の会社ＩＤに応じた品質の通信が可能になるという有利な効果が得られる。
【０１３８】
親機制御部は、第２のデータフォーマットとして、ペイロードのエラー検知のみを行うエラー検知データを含む第３のデータフォーマットと、ペイロードのエラー検知およびエラー訂正を行うエラー検知データを含む第４のデータフォーマットとのいずれかを選択することができることにより、通信相手の無線電話装置の会社ＩＤが特定のＩＤである場合に選択される第２のデータフォーマット（例えば、コードレス電話のデータフォーマット）として、第３のデータフォーマットまたは第４のデータフォーマットを選択することができるので、通信相手の無線電話装置の会社ＩＤに応じた音質の通信を行うことができる共に、さらに音質、通話距離、同時通信数などのような通信条件の異なる通信をユーザーにより選択することができるという有利な効果が得られる。
【０１３９】
親機制御部は、第２のデータフォーマットにおいては、前記複数のチャンネルオプションのいずれかを選択することにより、送信電力を第１のデータフォーマットで通信する場合よりも高い送信電力に設定することができることにより、通信相手の無線電話装置の会社ＩＤに応じた音質と距離の通信を行うことができるという有利な効果が得られる。
【０１４０】
親機制御部は、他の無線電話装置に会社ＩＤを要求する会社ＩＤ要求手段と、他の無線電話装置から返信があったか否かを判定すると共に返信があったと判定したときの他の無線電話装置の会社ＩＤが特定のＩＤであるかを判定する判定手段と、他の無線電話装置の会社ＩＤが特定のＩＤである場合には他の無線電話装置の会社ＩＤと無線電話装置のバージョン情報とを第１のメモリ領域に記憶すると共に他の無線電話装置の会社ＩＤが特定のＩＤでない場合には他の無線電話装置の会社ＩＤと他の無線電話装置のバージョン情報とを第２のメモリ領域に記憶する記憶手段とを有することにより、親機は、通信相手の無線通信装置の会社ＩＤに応じた品質の通信を確実に行うことができるという有利な効果が得られる。
【０１４１】
第１のデータフォーマットが、ブルートゥースのデータフォーマットであることにより、通常はブルートゥースのデータフォーマットで通信し、通話路接続以降は、通信相手の無線電話装置の会社ＩＤに従ったデータフォーマットで通信できるため、通常のコードレス電話通信機能に加えてブルートゥース通信機能を備える場合に、コードレス電話かブルートゥース通信かを自動的に判別し、その判別結果に応じた処理を行うことができるという有利な効果が得られる。
【０１４２】
第３のデータフォーマットを、ペイロードのデータ長を第１のデータフォーマットのペイロードと同一データ長とし、スロット間隔を第１のデータフォーマットの２倍とすることにより、第１のデータフォーマットでの通信時に比べて倍の無線電話装置と同時に通信することができるという有利な効果が得られる。例えば、コードレス通信ではブルートゥース通信に比べて２倍（６台）の無線電話装置と同時に通信することができるという有利な効果が得られる。
【０１４３】
第４のデータフォーマットは、ペイロードのデータ長を第１のデータフォーマットのペイロードの半分のデータ長とし、スロット間隔を第１のデータフォーマットと同一とすることにより、第１のデータフォーマットでの通信時に比べてのエラー検知データなどの情報を付加することができ、通話品質の向上を図ることができるという有利な効果が得られる。
【図面の簡単な説明】
【図１】（ａ）一般的なコードレス電話装置を構成する親機を示すブロック図
（ｂ）一般的なコードレス電話装置を構成する子機を示すブロック図
【図２】本発明の実施の形態１によるコードレス電話装置を構成する親機を示すブロック図
【図３】本発明の実施の形態１によるコードレス電話装置を構成する子機を示すブロック図
【図４】子機登録時における親機制御部と子機制御部との間のシーケンス動作を示すシーケンス図
【図５】回線接続時における親機制御部と子機制御部との間のシーケンス動作を示すシーケンス図
【図６】（ａ）ブルートゥースのデータフォーマットを示すフォーマット図
（ｂ）コードレス電話のオプション１のデータフォーマットを示すフォーマット図
（ｃ）コードレス電話のオプション２のデータフォーマットを示すフォーマット図
【図７】（ａ）ブルートゥースモードにおけるデータフォーマットを示すフォーマット図
（ｂ）コードレス電話モードにおけるオプション１のデータフォーマットを示すフォーマット図
【図８】（ａ）ブルートゥースモードにおけるデータフォーマットを示すフォーマット図
（ｂ）コードレス電話モードにおけるオプション２のデータフォーマットを示すフォーマット図
【図９】親機制御部における機能実現手段を示す機能ブロック図
【図１０】子機制御部における機能実現手段を示す機能ブロック図
【図１１】親機における会社ＩＤ登録手順を示すフローチャート
【図１２】子機における会社ＩＤ登録手順を示すフローチャート
【図１３】（ａ）子機登録時における親機制御部と子機制御部との間のシーケンス動作を示すシーケンス図
（ｂ）機能情報格納手順を示すシーケンス図
【図１４】（ａ）通話路接続時における親機制御部と子機制御部との間のシーケンス動作を示すシーケンス図
（ｂ）データ通信路接続時における親機制御部と子機制御部との間のシーケンス動作を示すシーケンス図
【図１５】（ａ）ブルートゥースのデータフォーマット（データ信号のフォーマット）を示すフォーマット図
（ｂ）コードレス電話のオプション３のデータフォーマットを示すフォーマット図
【図１６】（ａ）ブルートゥースモードにおけるタイムスロットの割当てを示すタイムスロット構成図
（ｂ）コードレス電話モードにおけるオプション３のタイムスロットの割当てを示すタイムスロット構成フォーマット図
【図１７】親機制御部、子機制御部における機能実現手段を示す機能ブロック図
【図１８】親機制御部、子機制御部における機能実現手段を示す機能ブロック図
【図１９】親機における機能情報格納手順を示すフローチャート
【図２０】子機における機能情報格納手順を示すフローチャート
【図２１】ブルートゥースおよびコードレス電話の規格が共存する従来のコードレス電話装置を示すブロック図
【符号の説明】
１  送受信切替えスイッチ
２  デュアルモード受信機
３  データバッファ
４  バースト受信データ作成器
５  同期識別器
６  親機制御部
７  バースト制御部
８  周波数シンセサイザ
９  子機制御部
１０、１１、１２、１３  音声エラー処理部
１４、２８  データバッファ
１５、１６、１７、１８  スピーチデコーダ
１９  モデム送信部
２０  デュアルモード送信機
２１  バースト変調器
２３  バースト送信データ作成器
２４、２５、２６、２７  スピーチエンコーダ
２９  モデム受信部
３０  コードレス電話スロットカウンタ
３１  ブルートゥーススロットカウンタ
３３  ＲＡＭ
３４  ＲＯＭ
３５  回線制御部
３６  アンテナ
３７  スピーカ
３８  マイクロフォン
３９  キーボード（ＫＥＹ、入力部）
４０  表示部（ＬＣＤ）
６１  会社ＩＤ要求手段
６２、７１  初期化手段
６３、７２  計時手段
６４、７３、８２、９２  判定手段
６５、７４  計数手段
６６、７５、８５、９５  記憶手段
７６  送信手段
８１  確認手段
８３、９３  問い合わせ手段
８４、９４  受信手段
１００  ベースバンドＩＣ
２００  無線部
【図１】
0003870761.tif 000002
【図２】
0003870761.tif 000003
【図３】
0003870761.tif 000004
【図４】
0003870761.tif 000005
【図５】
0003870761.tif 000006
【図６】
0003870761.tif 000007
【図７】
0003870761.tif 000008
【図８】
0003870761.tif 000009
【図９】
0003870761.tif 000010
【図１０】
0003870761.tif 000011
【図１１】
0003870761.tif 000012
【図１２】
0003870761.tif 000013
【図１３】
0003870761.tif 000014
【図１４】
0003870761.tif 000015
【図１５】
0003870761.tif 000016
【図１６】
0003870761.tif 000017
【図１７】
0003870761.tif 000018
【図１８】
0003870761.tif 000019
【図１９】
0003870761.tif 000020
【図２０】
0003870761.tif 000021
【図２１】
0003870761.tif 000022